(57)【要約】【課題】全体として均一な光の照射と、被照射物をスポット的に照らす光の照射と、を選択的に又は同時に行いつつ、高い空間演出を実現することができる照明装置を提供する。【解決手段】基板と、前記基板上に配置された少なくとも１つの第１発光素子と、前記第１発光素子とは異なる色を発する少なくとも１つの第２発光素子と、前記第１発光素子の光射出方向にそれぞれ配置された第１光学部材と、前記第２発光素子の光射出方向にそれぞれ配置され、前記第１光学部材の光射出特性とは異なる光出射特性を有する第２光学部材と、前記第１発光素子に供給される駆動電流と、前記第２発光素子に供給される駆動電流との比率を制御する制御部と、を備える。【選択図】図１２
2013211198.tif 000002
【特許請求の範囲】
【請求項１】
基板と、
前記基板上に配置された少なくとも１つの第１発光素子と、
前記第１発光素子とは異なる色を発する少なくとも１つの第２発光素子と、
前記第１発光素子の光射出方向にそれぞれ配置された第１光学部材と、
前記第２発光素子の光射出方向にそれぞれ配置され、前記第１光学部材の光射出特性とは異なる光出射特性を有する第２光学部材と、
前記第１発光素子に供給される駆動電流と、前記第２発光素子に供給される駆動電流との比率を制御する制御部と、を備えることを特徴とする照明装置。
【請求項２】
前記制御部は、前記第１発光素子に供給される駆動電流と、前記第２発光素子に供給される駆動電流との供給時間及び非供給時間の比率を制御するデューティ比制御回路を備え、
前記デューティ比制御回路は、前記供給時間及び前記非供給時間の比率を調整することにより前記第１発光素子及び前記第２発光素子の発光時間を制御することを特徴とする請求項１に記載の照明装置。
【請求項３】
前記デューティ比制御回路は、前記供給時間及び前記非供給時間の比率を連動して調整することにより前記第１発光素子及び前記第２発光素子の発光時間を連動して制御することを特徴とする請求項２に記載の照明装置。
【請求項４】
前記デューティ比制御回路は、前記供給時間及び前記非供給時間の比率を独立して調整することにより前記第１発光素子及び前記第２発光素子の発光時間を独立して制御することを特徴とする請求項２に記載の照明装置。
【請求項５】
前記制御部は、前記第１発光素子に供給される駆動電流と、前記第２発光素子に供給される駆動電流とを独立して所定の電流値に制御する電流値制御回路を備え、
前記電流値制御回路は、前記第１発光素子に供給される駆動電流及び前記第２発光素子に供給される駆動電流の電流値を制御することにより前記第１発光素子及び前記第２発光素子の光量を独立して制御することを特徴とする請求項１乃至４のいずれか１項に記載の照明装置。
【請求項６】
前記制御部は、前記第１発光素子に供給される駆動電流と、前記第２発光素子に供給される駆動電流とを連動して所定の電流値に制御する電流値制御回路を備え、
前記電流値制御回路は、前記第１発光素子に供給される駆動電流及び前記第２発光素子に供給される駆動電流の電流値を制御することにより前記第１発光素子及び前記第２発光素子の光量を連動して制御することを特徴とする請求項２乃至４のいずれか１項に記載の照明装置。
【請求項７】
被照射物を照らす第１照射領域を前記第１光学部材から出射する光によって形成し、前記第１照射領域の周辺領域を前記第１照射領域よりも不鮮明に照らす第２照射領域を前記第２光学部材から出射する光によって形成することを特徴とする請求項１乃至６のいずれか１項に記載の照明装置。
【請求項８】
前記第１光学部材は前記第１発光素子から出射する光を集光し、前記第２光学部材は前記第２発光素子から出射する光を前記第１光学部材に比して弱く集光することを特徴とする請求項１乃至７のいずれか１項に記載の照明装置。
【請求項９】
前記第１光学部材は前記第１発光素子から出射する光を集光し、前記第２光学部材は前記第２発光素子から出射する光を拡散することを特徴とする請求項１乃至７のいずれか１項に記載の照明装置。
【請求項１０】
前記第１光学部材は狭角レンズ又は中角レンズであり、前記第２光学部材は広角レンズであることを特徴とする請求項７又は８に記載の照明装置。
【請求項１１】
前記第１光学部材の１／２ビーム角は３０°未満であり、前記第２光学部材の１／２ビーム角は３０°以上であることを特徴とする請求項１０に記載の照明装置。
【請求項１２】
前記第１発光素子及び前記第２発光素子の光軸はそれぞれ平行であることを特徴とする請求項１乃至１１のいずれか１項に記載の照明装置。
【請求項１３】
前記第１発光素子は白色光を出射し、前記第２発光素子は前記第１発光素子とは色温度の異なる白色光を出射することを特徴とする請求項１乃至１２のいずれか１項に記載の照明装置。
【請求項１４】
前記第１発光素子は白色光を出射し、前記第２発光素子は有色光を出射することを特徴とする請求項１乃至１２のいずれか１項に記載の照明装置。
【請求項１５】
前記第１発光素子は白色光を出射し、前記第２発光素子は青色光、黄赤色光又は赤色光を出射することを特徴とする請求項１４に記載の照明装置。
【請求項１６】
前記第１発光素子は有色光を出射し、前記第２発光素子は前記第１発光素子とは異なる有色光を出射することを特徴とする請求項１乃至１２のいずれか１項に記載の照明装置。
【発明の詳細な説明】
【技術分野】
【０００１】
本発明は、ＬＥＤ（Light Emitting Diode）等の発光素子を複数備える照明装置に関する。本発明および本明細書における色名については、ＪＩＳ Ｚ ８１１０：１９９５「色の表示方法−光源色の色名」により定義された色度の色名による。
【背景技術】
【０００２】
従来、一般照明装置として、ＬＥＤ等の発光素子を複数備えたダウンライト、ユニバーサルダウンライト、及びスポットライト等の照明装置が広く用いられている。またこのような照明装置の改良例として、例えば、特許文献１に記載のダウンライトや特許文献２に記載のＬＥＤデバイスが提案されている。
【０００３】
特許文献１に記載されたダウンライトは、例えば、照明器具のコンパクト化を妨げることなく、実装基板と枠体との間の絶縁距離を伸ばすことができるようにしたものである。また、特許文献２には、小型カメラ用のフラッシュ又はスポットライトに用いられるＬＥＤデバイスが開示されている。特許文献２に記載されたＬＥＤデバイスにおいては、互いに特性の異なるレンズが取り付けられたＬＥＤへの電流量を変化させることにより、同一色の光を照射しつつも、光の照射角を調整することが可能になっている。
【先行技術文献】
【特許文献】
【０００４】
【特許文献１】特開２０１１−２２８１２８号公報
【特許文献２】特開２００７−１８０５２０号公報
【発明の概要】
【発明が解決しようとする課題】
【０００５】
一方、近年の一般照明装置においては、従来のように均一な光を照射する照明装置のみならず、空間を演出する照明装置が望まれている。しかしながら、従来の均一な光を照射するダウンライト等に代えて、例えば、被照射物を当該均一な光とは異なる特性の光によってスポット的に照射したい場合には、従来のダウンライト等が設置されたとしても、異なる特性の光を照射できる別のスポットライトを別途設置しなければならない。従って、均一な光を照射する通常の場合、及び当該均一な光とは異なる特性の光によって被照射物をスポット的に照射する場合において、１つの照明装置を選択的に又は同時に使用することができないという問題がある。
【０００６】
本発明はこのような課題に鑑みてなされたものであり、その目的とするところは、全体として均一な光の照射と、被照射物をスポット的に照らす光の照射と、を選択的に又は同時に行いつつ、高い空間演出を実現することができる照明装置を提供することにある。
【課題を解決するための手段】
【０００７】
上記の目的を達成するべく、本発明の照明装置は、基板と、前記基板上に配置された少なくとも１つの第１発光素子と、前記第１発光素子とは異なる色を発する少なくとも１つの第２発光素子と、前記第１発光素子の光射出方向にそれぞれ配置された第１光学部材と、前記第２発光素子の光射出方向にそれぞれ配置され、前記第１光学部材の光射出特性とは異なる光出射特性を有する第２光学部材と、前記第１発光素子に供給される駆動電流と、前記第２発光素子に供給される駆動電流との比率を制御する制御部と、を備えることを特徴とする。
【０００８】
上述した照明装置において、前記制御部は、前記第１発光素子に供給される駆動電流と、前記第２発光素子に供給される駆動電流との供給時間及び非供給時間の比率を制御するデューティ比制御回路を備えてもよい。この場合において、前記デューティ比制御回路は、前記供給時間及び前記非供給時間の比率を調整することにより、前記第１発光素子及び前記第２発光素子の発光時間を制御することになる。
【０００９】
前記制御部がデューティ比制御回路を備える場合に、前記デューティ比制御回路は、前記供給時間及び前記非供給時間の比率を連動して調整することにより、前記第１発光素子及び前記第２発光素子の発光時間を連動して制御してもよい。また、前記デューティ比制御回路は、前記供給時間及び前記非供給時間の比率を独立して調整することにより、前記第１発光素子及び前記第２発光素子の発光時間を独立して制御してもよい。
【００１０】
上述したいずれかの照明装置において、前記制御部は、前記第１発光素子に供給される駆動電流と、前記第２発光素子に供給される駆動電流とを独立して所定の電流値に制御する電流値制御回路を備えてもよい。この場合において、前記電流値制御回路は、前記第１発光素子に供給される駆動電流及び前記第２発光素子に供給される駆動電流の電流値を制御することにより、前記第１発光素子及び前記第２発光素子の光量を独立して制御することになる。
【００１１】
前記制御部がデューティ比制御回路を備える場合に、前記制御部は、前記第１発光素子に供給される駆動電流と、前記第２発光素子に供給される駆動電流とを連動して所定の電流値に制御する電流値制御回路を更に備えてもよい。この場合において、前記電流値制御回路は、前記第１発光素子に供給される駆動電流及び前記第２発光素子に供給される駆動電流の電流値を制御することにより、前記第１発光素子及び前記第２発光素子の光量を連動して制御することになる。
【００１２】
上述したいずれかの照明装置において、被照射物を照らす第１照射領域を前記第１光学部材から出射する光によって形成し、前記第１照射領域の周辺領域を前記第１照射領域よりも不鮮明に照らす第２照射領域を前記第２光学部材から出射する光によって形成してもよい。
【００１３】
上述したいずれかの照明装置において、前記第１光学部材は前記第１発光素子から出射する光を集光し、前記第２光学部材は前記第２発光素子から出射する光を前記第１光学部材に比して弱く集光してもよく、或いは、前記第１光学部材は前記第１発光素子から出射する光を集光し、前記第２光学部材は前記第２発光素子から出射する光を拡散してもよい。
【００１４】
上記場合において、前記第１光学部材は狭角レンズ又は中角レンズであり、前記第２光学部材は広角レンズであってもよく、具体的には、前記第１光学部材の１／２ビーム角は３０°未満であり、前記第２光学部材の１／２ビーム角は３０°以上であってもよい。
【００１５】
上述したいずれかの照明装置において、前記第１発光素子及び前記第２発光素子の光軸はそれぞれ平行であってもよい。
【００１６】
上述したいずれかの照明装置において、前記第１発光素子は白色光を出射し、前記第２発光素子は前記第１発光素子とは色温度の異なる白色光を出射してもよく、或いは、前記第１発光素子は白色光を出射し、前記第２発光素子は有色光を出射してもよい。第２発光素子が出射する有色光は、青色光、黄赤色光又は赤色光であってもよい。また、前記第１発光素子は有色光を出射し、前記第２発光素子は前記第１発光素子とは異なる有色光を出射してもよい。
【発明の効果】
【００１７】
本発明においては、異なる色を発する第１発光素子及び第２発光素子ごとに、互いに異なる光学特性を有する第１光学部材及び第２光学部材を対応させて配置し、第１発光素子に供給される駆動電流と、第２発光素子に供給される駆動電流との比率を制御することにより、全体として均一な光、又は被照射物をスポット的に照らす光を選択的に若しくは同時に照明装置から出射させることができ、更には高い空間演出を実現することができる。
【図面の簡単な説明】
【００１８】
【図１】実施例に係るダウンライトの概略を示す斜視図である。
【図２】実施例に係るダウンライトの側面図である。
【図３】実施例に係るダウンライトの正面図である。
【図４】実施例に係るダウンライトを構成するＬＥＤモジュールの正面図である。
【図５】図４の線V-Vに沿ったＬＥＤモジュールの断面図である。
【図６】実施例に係るダウンライトを構成するＬＥＤモジュールの分解図である。
【図７】実施例に係るダウンライトを構成するＬＥＤモジュールのレンズホルダの正面図である。
【図８】図７の線VIII-VIIIに沿ったレンズホルダの断面図である。
【図９】実施例に係るダウンライトを構成するＬＥＤモジュールの第１レンズの正面図である。
【図１０】実施例に係るダウンライトを構成するＬＥＤモジュールの第１レンズの側面図である。
【図１１】図９の線XI-XIに沿った第１レンズの断面図である。
【図１２】実施例に係るダウンライトの電気回路図である。
【図１３】実施例に係るダウンライトを使用して光を照射した場合における当該光の照射領域の分布を示した模式図である。
【図１４】実施例に係るダウンライトを使用して光を照射した場合における当該光の照射領域の分布を示した模式図である。
【図１５】図１２の回路構成における各トランジスタの作動状態、及び各ＬＥＤの駆動電流の電流値の一例を示すタイムチャートである。
【図１６】図１２の回路構成における各トランジスタの作動状態、及び各ＬＥＤの駆動電流の電流値の一例を示すタイムチャートである。
【図１７】変形例に係るダウンライトの電気回路構成の概略を示す電気回路図である。
【図１８】図１７の回路構成における各トランジスタの作動状態、及び各ＬＥＤの駆動電流の電流値の一例を示すタイムチャートである。
【図１９】図１７の回路構成における各トランジスタの作動状態、及び各ＬＥＤの駆動電流の電流値の一例を示すタイムチャートである。
【図２０】図１７の回路構成における各トランジスタの作動状態、及び各ＬＥＤの駆動電流の電流値の一例を示すタイムチャートである。
【図２１】図１７の回路構成における各トランジスタの作動状態、及び各ＬＥＤの駆動電流の電流値の一例を示すタイムチャートである。
【図２２】図１７の回路構成における各トランジスタの作動状態、及び各ＬＥＤの駆動電流の電流値の一例を示すタイムチャートである。
【図２３】図１７の回路構成における各トランジスタの作動状態、及び各ＬＥＤの駆動電流の電流値の一例を示すタイムチャートである。
【図２４】図１７の回路構成における各トランジスタの作動状態、及び各ＬＥＤの駆動電流の電流値の一例を示すタイムチャートである。
【図２５】図１７の回路構成における各トランジスタの作動状態、及び各ＬＥＤの駆動電流の電流値の一例を示すタイムチャートである。
【発明を実施するための形態】
【００１９】
以下、図面を参照し、本発明の実施の形態について、実施例及び変形例に基づき詳細に説明する。なお、本発明は以下に説明する内容に限定されるものではなく、その要旨を変更しない範囲において任意に変更して実施することが可能である。また、実施例及び各変形例の説明に用いる図面は、いずれも本発明による照明装置を模式的に示すものであって、理解を深めるべく部分的な強調、拡大、縮小、又は省略などを行っており、各構成部材の縮尺や形状等を正確に表すものとはなっていない場合がある。更に、実施例及び各変形例で用いる様々な数値及び数量は、いずれも一例を示すものであり、必要に応じて様々に変更することが可能である。
【００２０】
＜実施例＞
（ダウンライトの構成）
図１は本発明に係る照明装置としてのダウンライト１の概略を示す斜視図であり、図２は本発明に係る照明装置としてのダウンライト１の側面図であり、図３は、本発明に係る照明装置としてのダウンライト１の正面図である。図１乃至図３に示すように、ダウンライト１は、ＬＥＤ（Light Emitting Diode）モジュール２、及びＬＥＤモジュール２を保持する本体３から構成されている。
【００２１】
ダウンライト１の本体３は、ＬＥＤモジュール２が収納される開口４を備える筐体５と、開口４の外縁に沿って設けられた外枠６と、筐体５を天井等の設置箇所に固定するための３つの固定部材７と、から構成されている。筐体５は、金属又はプラスチック部材からなり、ダウンライト１の使用環境及び使用用途に応じた強度を有している。図１及び図３に示すように、筐体５の開口４の平面形状は円形状であり、全体的な形状は円柱状である。また、外枠６は、リング状の枠部材から構成され、その材料は金属又はプラスチック部材であり、ダウンライト１の使用環境及び使用用途に応じた強度を有している。図１及び図２に示すように、固定部材７は、筐体５と外枠６との接合部分から外側に向かって延在し、折り曲げられた形状を有するバネ等の弾性体から構成されている。このような固定部材７の構造により、ダウンライト１を天井等の設置箇所に取り付ける際に、当該設置箇所に設けられた開口に固定部材７が嵌着され、ダウンライト１が当該設置箇所に固定されることになる。
【００２２】
なお、ダウンライト１の外観構造は図１乃至図３に示されている形状に限定されることなく、一般的に知られているダウンライトの形状を採用してもよい。すなわち、ＬＥＤモジュール２を収納及び保持することができる本体であれば、上述したような構造に限定されることなく、ダウンライト１の使用環境及び使用用途に応じてその構造を適宜選択することができる。
【００２３】
（ＬＥＤモジュール）
次に、図４乃至図６を参照しつつＬＥＤモジュール２の構造を詳細に説明する。図４は、本実施例のダウンライト１を構成するＬＥＤモジュール２の正面図である。また、図５は、図４の線V-Vに沿ったＬＥＤモジュール２の断面図である。更に、図６は、ＬＥＤモジュール２の分解図である。
【００２４】
図４乃至図６から分かるように、ＬＥＤモジュール２は、基板１１上に８個の第１ＬＥＤ１２及び８個の第２ＬＥＤ１３を設けてなる発光体部１４と、レンズホルダ１５上に８個の第１レンズ１６及び８個の第２レンズ１７を設けてなる光学体部１８と、をネジ等の接合部材（図示せず）によって接合した構造を有している。
【００２５】
発光体部１４において、基板１１の中心部上には６個のＬＥＤ（第１ＬＥＤ１２及び第２ＬＥＤ１３がそれぞれ３個）が同心円状に配置され、当該６個のＬＥＤを囲むように１０個のＬＥＤ（第１ＬＥＤ１２及び第２ＬＥＤ１３がそれぞれ５個）が同心円状に配置されている。ここで、第１ＬＥＤ１２及び第２ＬＥＤ１３の配置には規則性はなく、ランダムに配置されている。なお、図３においては、基板１１の中心部及び外周部において第１ＬＥＤ１２及び第２ＬＥＤ１３の数量を均等（中心部では３個ずつ、外周部では５個ずつ）にしていたが、数量を異ならしめてもよく、第１ＬＥＤ１２及び第２ＬＥＤ１３の数量自体を異ならしめてもよい。また、第１ＬＥＤ１２及び第２ＬＥＤ１３は、規則性を持たせて配置してもよい。
【００２６】
更に、基板１１上には外部接続端子１９が設けられ、外部接続端子１９には第１ＬＥＤ１２及び第２ＬＥＤ１３に電力（駆動電流）を供給するための電力配線が接続されている。なお、第１ＬＥＤ１２及び第２ＬＥＤ１３は、基板１１上にパターニングされた配線（図示せず）により、外部接続端子１９に接続されている。第１ＬＥＤ１２及び第２ＬＥＤ１３の接続関係及びその他の回路構成部材については、電気回路図を参照しつつ後述する。また、当該電力配線は、筐体５に設けられた引き出し用の開口（図１乃至図３には図示せず）からダウンライト１の外側に引き出され、所望の外部電源等に接続されている。
【００２７】
基板１１としては、例えば、アルミ材、絶縁層、及び銅箔を順次積層して形成されるアルミ基板、又はその他の金属基板を用いることができる。特に、当該アルミ基板は、熱伝導性、耐熱性、加工性、及び耐電圧性に優れており、ＬＥＤモジュール２の発光特性及び信頼性の向上に寄与する。なお、基板１１は、上述したような金属基板に限られることなく、アルミ材以外の熱伝導性に優れた基板を用いてもよい。また、基板１１は、ガラス基板等の絶縁基板を用いてもよい。この場合には、各ＬＥＤから出射する光がガラス基板を透過することがないように、ガラス基板上に反射層を形成することが好ましい。
【００２８】
本実施例において、第１ＬＥＤ１２は、ＪＩＳ Ｚ ８１１０：１９９５における色度xが0.3105、色度yが0.3160であり、色温度が約６７００Ｋ（ケルビン）の白色光（以下、昼白色の光とも称する）を出射する発光素子である。具体的には、第１ＬＥＤ１２は、近紫外ＬＥＤチップと当該近紫外ＬＥＤチップを覆うＲＧＢ蛍光体材料を有し、当該近紫外ＬＥＤチップから出射する近紫外光によってＲＧＢ蛍光体材料を励起させて青色光、緑色光、及び赤色光を出射し、青色光、緑色光、及び赤色光を合成して白色光（すなわち、合成光）を出射する。なお、このような構成以外にも、第１ＬＥＤ１２は、青色ＬＥＤチップと当該青色ＬＥＤチップを覆う黄色蛍光体材料を有しており、当該青色ＬＥＤチップから出射する青色光によって黄色蛍光体材料を励起させて黄色光を出射し、青色光及び黄色光を合成して白色光を出射するような発光素子であってもよい。更に、第１ＬＥＤ１２は、赤色ＬＥＤチップ、緑色ＬＥＤチップ、及び青色ＬＥＤチップを有しており、各ＬＥＤチップから出射する赤色光、緑色光、及び青色光を合成して白色光を出射するような発光素子であってもよい。
【００２９】
第２ＬＥＤ１３は、ＪＩＳ Ｚ ８１１０：１９９５における色度xが0.4599、色度yが0.4106であり、色温度が約２７００Ｋ（ケルビン）の白色光（以下、電球色の光とも称する）を出射する発光素子である。具体的な第２ＬＥＤ１３の構成は、上述した第１ＬＥＤ１２の構成のいずれかと同一である。
【００３０】
光学体部１８において、レンズホルダ１５の中心部上には６個の光学部材であるレンズ（第１レンズ１６及び第２レンズ１７がそれぞれ３個）が同心円状に配置され、当該６個のレンズを囲むように１０個の光学部材であるレンズ（第１レンズ１６及び第２レンズ１７がそれぞれ５個）が同心円状に配置されている。ここで、第１レンズ１６及び第２レンズ１７の配置には規則性はなく、ランダムに配置されている。また、発光体部１４と光学体部１８とを接合した状態において、１つの第１ＬＥＤ１２に対して１つの第１レンズ１６が対向し、１つの第２ＬＥＤ１３に対して１つの第２レンズ１７が対向する。すなわち、第１ＬＥＤ１２の光出射方向に１つの第１レンズ１６が配置され、第２ＬＥＤ１３の光出射方向に１つの第２レンズ１７が配置されることになる。このような構成により、１つのＬＥＤと１つのレンズとが対応するように組をなして照射部を構成し、１つのＬＥＤから出射する光は、それに対応する１つのレンズを介して出射することになる。
【００３１】
なお、第１ＬＥＤ１２及び第２ＬＥＤ１３が規則性を持つように配置されている場合には、１つの第１ＬＥＤ１２に対して１つの第１レンズ１６が対向し、１つの第２ＬＥＤ１３に対して１つの第２レンズ１７が対向するように配置されるため、第１レンズ１６及び第２レンズ１７も規則性を持つように配置されることになる。
【００３２】
次に、レンズホルダ１５について、図７及び図８を参照しつつ説明する。図７は、本実施例のダウンライト１を構成するＬＥＤモジュール２のレンズホルダ１５の正面図である。また、図８は、図７の線VIII-VIIIに沿ったレンズホルダ１５の断面図である。
【００３３】
レンズホルダ１５は、透光性を有する部材から構成されており、例えば、透明ガラス基板又は透明プラスチック基板等の透明基板を用いることができる。このような部材をレンズホルダ１５に用いることにより、第１ＬＥＤ１２及び第２ＬＥＤ１３から出射する光がレンズホルダ１５で吸収又は反射されることがなくなり、ダウンライト１の光出射面側に効率よく照射光を導くことが可能になる。
【００３４】
図７及び図８に示すように、レンズホルダ１５は、第１ＬＥＤ１２及び第２ＬＥＤ１３が配置される部分に、第１レンズ１６及び第２レンズ１７の一部分が嵌め込まれるための凹部２１が形成されている。レンズホルダ１５に形成された凹部２１は、レンズホルダ１５の第１の面１５ａから第２の面１５ｂに向かって、開口径が徐々に小さくなっている。これは、凹部２１の形状を第１レンズ１６及び第２レンズ１７の形状に合わせるためであり、これによってレンズホルダ１５の凹部２１と第１レンズ１６及び第２レンズ１７とが密着することになり、接着材等の接合部材等を用いて第１レンズ１６及び第２レンズ１７をレンズホルダ１５に対して強固に取り付けることが可能になる。
【００３５】
次に、図９乃至図１１を参照しつつ、第１レンズ１６及び第２レンズ１７について説明する。図９は、本実施例のダウンライト１を構成するＬＥＤモジュール２の第１レンズ１６の正面図である。また、図１０は、本実施例のダウンライト１を構成するＬＥＤモジュール２の第１レンズ１６の側面図である。更に、図１１は、図９の線XI-XIに沿った第１レンズ１６の断面図である。
【００３６】
図９乃至図１１から分かるように、第１レンズ１６は、全体として略半球状の形状を有し、光出射面１６ａ側に複数の単レンズを縦及び横方向に配列した構造を有するフライアイレンズである。また、図１１に示すように、第１レンズ１６は、光入射面１６ｂ側に開口１６ｃが形成されている。そして、開口１６ｃの底面は、凸レンズを形成するように、光入射面１６ｂ側に向けて突出している。発光体部１４及び光学体部１８を接合した状態のＬＥＤモジュール２においては、第１レンズ１６の開口１６ｃ部分に対向するように、第１ＬＥＤ１２が配置されることになる。
【００３７】
第１レンズ１６には、出射光の広がりが比較的に小さい狭角レンズ又は中角レンズを用いることが好ましい。特に、レンズの１／２のビーム角が３０°未満のレンズを用いることが好ましく、本実施例においては、レンズの１／２ビーム角が２５°の中角レンズを第１レンズ１６として用いている。
【００３８】
第１レンズ１６の原材料としては、例えば、硼珪酸ガラス（ＢＫ７）又は合成石英を用いることができるが、これらに限定されることなく、一般的に使用されている様々なレンズ材料を用いることができる。
【００３９】
第２レンズ１７は、その外形が第１レンズ１６とほぼ同一であって、上述した構造を有するフライアイレンズであるため、図面を用いた第２レンズ１７の構造の説明を省略する。第２レンズ１７は、第１レンズ１６とは異なり、広角レンズを用いることが好ましい。特に、レンズの１／２のビーム角が３０°以上のレンズを用いることが好ましく、本実施例においては、レンズの１／２ビーム角が５０°の広角レンズを第２レンズ１７として用いている。従って、第２レンズ１７は、第１レンズ１６とは異なる光出射特性を有し、第１レンズ１６における集光率よりも、第２レンズにおける集光率の方が低くなっている。換言すれば、第１レンズ１６が第１ＬＥＤ１２から出射された光を集光する場合と比較して、第２レンズ１７は第２ＬＥＤ１３から出射された光を弱く集光することになる。
【００４０】
なお、本実施例においては、第１レンズ１６及び第２レンズ１７を略半球状のフライアイレンズとしていたが、その外形は限定されることなく、例えば、レンズの側面が回転放物面であってもよい。また、本実施例においては、第１ＬＥＤ１２及び第２ＬＥＤ１３から出射された光を集光するために、第１レンズ１６及び第２レンズ１７をフライアイレンズとしたが、光を集光することができるフレネルレンズ、又は一般的な両凸レンズ若しくは平凸レンズを用いてもよい。
【００４１】
（ダウンライトの電気回路構成）
次に、本実施例に係るダウンライト１の電気回路構成及びダウンライト１の発光制御を説明するとともに、本実施例のダウンライト１を使用して光を照射した場合に、どのような光が照射されるかについて説明する。図１２は、本実施例に係るダウンライト１の電気回路構成の概略を示す電気回路図である。また、図１３及び図１４は、本実施例のダウンライト１を使用して光を照射した場合における、当該光の照射領域の分布を示した模式図である。更に、図１５及び図１６は、図１２の回路構成における各トランジスタの作動状態、及び各ＬＥＤの駆動電流の電流値の一例を示すタイムチャートである。
【００４２】
図１２に示すように、ダウンライト１のＬＥＤモジュール２には、８個の第１ＬＥＤ１２、８個の第２ＬＥＤ１３に加え、電流制限用の抵抗Ｒ１及び抵抗Ｒ２、並びにＬＥＤを駆動用の駆動電流を供給するためのトランジスタＱ１及びトランジスタＱ２が設けられている。ここで、抵抗Ｒ１は対応する８個の第１ＬＥＤ１２に流れる電流を適正な大きさに調整するために設けられ、抵抗Ｒ２は対応する８個の第２ＬＥＤ１３に流れる電流を適正な大きさに調整するために設けられている。
【００４３】
具体的には、８個の第１ＬＥＤ１２が極性を同じくして互いに並列に接続されており、各第１ＬＥＤ１２のアノードが抵抗Ｒ１を介して電源３１の正極に接続されている。また、各第１ＬＥＤのカソードはトランジスタＱ１のコレクタに接続され、トランジスタＱ１のエミッタが電源３１の負極に接続されている。８個の第２ＬＥＤ１３も極性を同じくして互いに並列に接続されており、第１ＬＥＤ１２と同様に、アノードが抵抗Ｒ２を介して電源３１の正極に接続されると共に、カソードがトランジスタＱ２を介して電源３１の負極に接続されている。
【００４４】
ここで、電源３１は、照明装置１の外部から外部接続端子１９を介して供給される交流電圧を直流電圧に変換する変換回路からなる直流電源であり、照明装置１の内部に設けられている。また、図１２には図示しないもの、電源３１は照明装置１の外部電源に接続されている。
【００４５】
なお、トランジスタＱ１、Ｑ２は、いずれもそれぞれのベース信号に応じてオン・オフ状態を切り換え可能であり、後述する制御部からそれぞれのベースに対して個別にベース信号が送出されるようになっている。
【００４６】
このような電気回路構成において、トランジスタＱ１がオン状態となることにより、８個の第１ＬＥＤ１２に電源３１から供給される順方向の電流が流れ、８個の第１ＬＥＤ１２がそれぞれ発光する。従って、トランジスタＱ１をオン状態とすることにより、８個の第１ＬＥＤ１２から昼白色の光が出射され、当該昼白色の光は第１ＬＥＤ１２の出射方向に配置された第１レンズ１６を介してダウンライト１の外部に向けて出射する。
【００４７】
同様に、トランジスタＱ２がオン状態となることにより、８個の第２ＬＥＤ１３に電源３１から供給される順方向の電流が流れ、８個の第２ＬＥＤ１３がそれぞれ発光する。従って、トランジスタＱ２をオン状態とすることにより、８個の第２ＬＥＤ１３から電球色の光が出射され、当該電球色の光は第２ＬＥＤ１３の出射方向に配置された第２レンズ１７を介してダウンライト１の外部に向けて出射する。
【００４８】
ここで、本実施例においては、各レンズをレンズホルダに対して傾けたりしていないため、第１レンズ１６から出射する昼白色の光の光軸は、第２レンズ１７から出射する電球色の光の光軸と平行となる。
【００４９】
上述したようなダウンライト１の構成より、第１ＬＥＤ１２に供給される電力量（すなわち、第１ＬＥＤ１２に実際に流れる駆動電流）よりも第２ＬＥＤ１３に供給される電力量（すなわち、第２ＬＥＤ１３に実際に流れる駆動電流）が小さい場合、第１レンズ１６から出射する昼白色の光の強度（すなわち、明るさ）は第２レンズから出射する電球色の光の強度よりも小さくなり、ダウンライト１から出射する昼白色の光及び電球色の光の合成光においては、第２レンズ１７から出射する電球色の光の影響が大きくなる。このような場合、第２レンズ１７は広角レンズであるため、ダウンライト１から出射する合成光は、ダウンライト１の周辺の広範囲に対して均一に広がり、その色は全体として概ね電球色になる。より具体的には、図１３に示すように、第１レンズ１６から出射する昼白色の光から形成される第１照射領域４１は、第２レンズ１７から出射する電球色の光から形成される第２照射領域４２によって覆われ、ダウンライト１からは全体として均一な電球色の光が出射されているように見えることになる。すなわち、第２ＬＥＤ１３に供給される電力量を増加することにより、ダウンライト１の周辺のより広い範囲を、全体として均一な電球色の光によって照射することが可能になる。
【００５０】
一方、第１ＬＥＤ１２に供給される電力量（すなわち、第１ＬＥＤ１２に実際に流れる駆動電流）よりも第２ＬＥＤ１３に供給される電力量（すなわち、第２ＬＥＤ１３に実際に流れる駆動電流）が大きい場合には、第１レンズ１６から出射する昼白色の光の強度が第２レンズから出射する電球色の光の強度よりも大きくなり、ダウンライト１から出射する昼白色の光及び電球色の光の合成光においては、第１レンズ１６から出射する昼白色の光の影響が大きくなる。このような場合、第１レンズ１６は中角レンズであるため、ダウンライト１から出射する合成光は、ダウンライト１の光軸から周囲に比較的に広がらずに、被照射物をスポット的に照射し、その色は全体として概ね昼白色である。より具体的には、図１４に示すように、第１レンズ１６から出射する昼白色の光から形成される第１照射領域４１は、第２レンズ１７から出射する電球色の光から形成される第２照射領域４２と比較して、ダウンライト１の幅方向には広がらないものの、ダウンライト１の光軸方向における遠方領域まで広がることになる。すなわち、第１ＬＥＤ１２に供給される電力量を増加することにより、ダウンライト１から遠方に設けられている被照射物４３を昼白色の光によって鮮明に照らすことが可能になる。
【００５１】
従って、本実施例に係るダウンライト１においては、被照射物４３を鮮明に照らす第１照射領域４１が第１レンズ１６から出射する昼白色の光によって形成され、第１照射領域４１よりも不鮮明に被照射物４３を照らす第２照射領域４２が第２レンズ１７から出射する電球色の光によって形成されることになる。
【００５２】
以上のことから、本実施例のダウンライト１においては、第１ＬＥＤ１２に供給される電力量（すなわち、第１ＬＥＤ１２に実際に流れる駆動電流）と、第２ＬＥＤ１３に供給される電力量（すなわち、第２ＬＥＤ１３に実際に流れる駆動電流）との比率を制御することにより、全体として均一な電球色の光の照射と、被照射物をスポット的に照らす昼白色の光の照射と、を選択的に又は同時に行いつつ、高い空間演出を行うことが可能になる。換言すれば、本実施例のダウンライト１においては、各ＬＥＤに供給される駆動電流の比率の制御により、ダウンライト１から出射する光の色及び当該光の集光具合を適宜変更することが可能になる。ここで、当該駆動電流の比率とは、第１ＬＥＤ１２に供給される駆動電流と、第２ＬＥＤ１３に供給される駆動電流とを比較した割合のことであり、例えば、いずれかのＬＥＤに供給される駆動電流の量のみが変更された場合であっても、駆動電流の比率は変動することになる。
【００５３】
そして、上述した駆動電流の比率の制御のために、本実施例のダウンライト１は、トランジスタＱ１及びトランジスタＱ２の動作を制御する制御部３２を有している。また、ダウンライト１は、ダウンライト１から出射する光の色及び当該光の集光具合の調整を外部から行うために、操作部３３が設けられている。操作部３３は、制御部３２に接続され、ダウンライト１から出射する光の色及び当該光の集光具合を設定するための外部からの操作に応じ、設定された色及び集光具合に対応した電気信号を制御部３２に伝達する。制御部３２は、当該電気信号に応じて、トランジスタＱ１及びトランジスタＱ２の動作を制御し、第１ＬＥＤ１２に供給される駆動電流と、第２ＬＥＤ１３に供給される駆動電流との比率を変更することなる。
【００５４】
なお、制御部３２は、操作部３３から供給される電気信号に対応した制御内容を記憶する記憶部（例えば、メモリ）を有していてもよい。このような場合、制御部３２は、操作部３３から供給される電気信号に対応する制御内容を当該記憶部から読み出し、読み出した制御内容に応じてトランジスタＱ１及びトランジスタＱ２の動作を制御することになる。
【００５５】
第１ＬＥＤ１２に供給される駆動電流と、第２ＬＥＤ１３に供給される駆動電流との比率を制御する具体的な方法として、本実施例に係るダウンライト１においては、トランジスタＱ１及びトランジスタＱ２を、所定の周期で断続的にオンオフ駆動させ、このときの電流供給パルスのデューティ比を調整することにより、第１ＬＥＤ１２に流れる実際の駆動電流（すなわち、第１ＬＥＤ１２に供給される電力量）及び第２ＬＥＤ１３に流れる実際の駆動電流（すなわち、第２ＬＥＤ１３に供給される電力量）を制御する方法が用いられる。
【００５６】
このような制御を実現するために、本実施例に係るダウンライト１の制御部３２は、第１ＬＥＤ１２に供給される駆動電流と、第２ＬＥＤ１３に供給される駆動電流との供給時間及び非供給時間の比率を制御するデューティ比制御回路３２ａを備えている。すなわち、制御部３２は、第１ＬＥＤ１２及び第２ＬＥＤ１３に対する駆動電流の供給時間及び非供給時間の比率を調整することによって第１ＬＥＤ１２及び第２ＬＥＤ１３の発光時間を制御するデューティ比制御回路３２ａを備えている。以下において、デューティ比制御回路３２ａによる駆動電流の比率の制御を、図１５及び図１６を参照しつつ、具体的に説明する。
【００５７】
先ず、第１ＬＥＤ１２に流れる実際の駆動電流の電流値を第２ＬＥＤ１３に流れる実際の駆動電流の電流値よりも少なくする場合を、図１５に示す。図１５に示す状態において、トランジスタＱ１がオン状態になると第１ＬＥＤ１２に電流値Ａ０の駆動電流が流れ、第１ＬＥＤ１２から昼白色の光が出射するが、トランジスタＱ１がオン状態の間は、トランジスタＱ２がオン状態にならない。一方、トランジスタＱ２がオン状態になると第２ＬＥＤ１３に電流値Ａ０の駆動電流が流れ、第２ＬＥＤ１３から電球色の光が出射するが、トランジスタＱ２が状態の間は、トランジスタＱ１が状態にならない。すなわち、トランジスタＱ１とトランジスタＱ２とが交互にオン状態になり、第１ＬＥＤ１２と第２ＬＥＤ１３とから交互に光が出射することになる。このようなオン状態の切り換えは、それぞれのＬＥＤチップの発光の切り換えに伴うダウンライト１からの出射光（合成光）のちらつきが気にならない程度の周期ｔ０（例えば２０ｍｓ）で行われ、トランジスタＱ１のオン期間ｔ１の方が、トランジスタＱ２のオン期間ｔ２より短く設定されている（例えば、ｔ１＝６ｍｓ及びｔ２＝１４ｍｓ）。
【００５８】
このように、トランジスタＱ１のオン期間をトランジスタＱ２のオン期間よりも短くすると、トランジスタＱ１及びトランジスタＱ２がオン状態の際に、第１ＬＥＤ１２及び第２ＬＥＤ１３に瞬間的（すなわち、ｔ１又はｔ２の期間）に流れる駆動電流の電流値はＡ０で同一であるものの、実際にダウンライト１を使用している状態（すなわち、ｔ０の周期が複数回繰り返されている状態）において、第１ＬＥＤ１２に実際に供給される駆動電流は、第２ＬＥＤ１３に供給される駆動電流よりも少なくなる。従って、図１５に示されている状態においては、第１ＬＥＤ１２から出射する昼白色の光の強度が第２ＬＥＤ１３から出射する電球色の光の強度よりも小さくなるため、ダウンライト１から出射する合成光は、全体として均一な電球色の光となる。すなわち、ダウンライト１によって形成される照射領域は、図１３に示されるようになる。
【００５９】
上述した状態から、図１６に示すように、トランジスタＱ１のオン期間をｔ２、及びトランジスタＱ２のオン期間ｔ１とするようにトランジスタＱ１の駆動時間とトランジスタＱ２の駆動時間とを入れ替え、トランジスタＱ１のオン期間をトランジスタＱ２のオン期間よりも長くする。
【００６０】
このように、トランジスタＱ１のオン期間をトランジスタＱ２のオン期間よりも長くすると、トランジスタＱ１及びトランジスタＱ２がオン状態の際に、第１ＬＥＤ１２及び第２ＬＥＤ１３に瞬間的（すなわち、ｔ１又はｔ２の期間）に流れる駆動電流の電流値はＡ０で同一であるものの、実際にダウンライト１を使用している状態（すなわち、ｔ０の周期が複数回繰り返されている状態）において、第１ＬＥＤ１２に実際に供給される駆動電流は、第２ＬＥＤ１３に供給される駆動電流よりも多くなる。従って、図１６に示されている状態においては、第１ＬＥＤ１２から出射する昼白色の光の強度が第２ＬＥＤ１３から出射する電球色の光の強度よりも大きくなるため、ダウンライト１から出射する合成光は、照射物４３をスポット的に照射する昼白色の光となる。すなわち、ダウンライト１によって形成される照射領域は、図１４に示されるようになる。
【００６１】
このように、デューティ比制御回路３２ａによって第１ＬＥＤ１２及び第２ＬＥＤ１３に供給される駆動電流の供給時間及び非供給時間を連動して調整することにより、第１ＬＥＤ１２及び第２ＬＥＤ１３に実際に流れる駆動電流（すなわち、電力量）が調整されることとなり、第１ＬＥＤ１２及び第２ＬＥＤ１３から出射する昼白色の光及び電球色の光の強度比率（すなわち、昼白色の光の明るさに対する電球色の光の明るさ）を変更することができる。
【００６２】
そして、上述した照明装置１の構成においては、第１ＬＥＤ１２及び第２ＬＥＤ１３のそれぞれに対向するように設けられた第１レンズ１６及び第２レンズ１７が上述したような互いに異なる光学特性を有するため、第１ＬＥＤ１２及び第２ＬＥＤ１３から出射する昼白色の光及び電球色の光の強度比率を制御することにより、全体として均一な光の照射と、被照射物をスポット的に照らす光の照射と、を選択的に又は同時に行いつつ、高い空間演出を実現することが可能になる。
【００６３】
なお、上述した実施例においては、照明装置としてダウンライトを一例として説明したが、本発明に係る照明装置は、ダウンライト以外にも、スポットライト及びユニバーサルダウンライト等の様々な一般照明装置に適用することができる。
【００６４】
また、上述した実施例においては、第１ＬＥＤ１２の発光色を昼白色とし、第２ＬＥＤ１３の発光色を電球色としていたが、被照射物に上述したような２つの照射領域を形成することができれば、これらの発光色に限定されることはない。例えば、第１ＬＥＤ１２の発光色を白色（昼白色又は電球色）とした場合には、第２ＬＥＤ１３の発光色を黄赤色、赤色、緑色等の有色としたり、第１ＬＥＤ１２の発光色とは色温度の異なる白色としてもよい。また、第１ＬＥＤ１２の発光色を青色、黄赤色、赤色、緑色等の有色とした場合には、第２ＬＥＤ１３の発光色を第１ＬＥＤ１２の発光色とは異なる有色としてもよい。また、色には色相・明度・彩度の３要素があるため、上述した第１ＬＥＤ１２と第２ＬＥＤ１３との色の色相の異なる組み合わせのみならず、第１ＬＥＤ１２と第２ＬＥＤ１３との彩度や明度の異なる組み合わせも好ましい態様の１つである。このように、様々な発光色を有する第１ＬＥＤ及び第２ＬＥＤを選択して用いることができるため、照明装置であるダウンライト１の使用用途及び状況に合わせて色の異なる様々な空間演出を行うことが可能になる。
【００６５】
そして、上述した実施例においては、第１レンズ１６及び第２レンズ１７を集光レンズとしていたが、第２レンズ１７について、第１レンズ１６とは異なる光出射特性とするためには、集光レンズに限定されることなく、拡散レンズとしてもよい。第２レンズ１７を拡散レンズとしても、第２レンズ１７から出射する光により、第１照射領域４１を囲むように、第２照射領域４２を形成することができる。
【００６６】
更に、上述した実施例において、ＬＥＤ及びレンズのそれぞれを中心部及び外周部において同心円状に配置していたが、このような配置構成に限定されることなく、例えば、各部材ごとに、同一の楕円の円周状に配置してもよい。また、複数の第１ＬＥＤ１２及び第２ＬＥＤ１３を所定の形状を形成するように配置することなくランダムに分布させ、これらに対応させて、第１レンズ１６及び第２レンズ１７を所定の形状を形成するように配置することなくランダムに分布させてもよい。このような場合であっても、第１ＬＥＤ１２と第１レンズ１６とを１対１で対応させ、第２ＬＥＤ１３と第２レンズ１７とが１対１で対応させる必要がある。
【００６７】
また、本実施例に係るダウンライト１においては、バイポーラトランジスタであるトランジスタＱ１がスイッチング素子として用いられていたが、ＭＯＳ電界効果型トランジスタ（Metal-Oxide-Semiconductor Field-Effect Transistor）をバイポーラトランジスタに代えて用いてもよい。
【００６８】
＜変形例＞
上述した実施例においては、第１ＬＥＤ１２及び第２ＬＥＤ１３への駆動電流の供給時間及び非供給時間を連動して調整していたが、第１ＬＥＤ１２及び第２ＬＥＤ１３への駆動電流の供給時間及び非供給時間を独立して調整したり、又は第１ＬＥＤ１２及び第２ＬＥＤ１３に供給される駆動電流の電流値を独立して所定の値に設定することにより、ダウンライト１から出射する光の色及び当該光の集光具合を適宜変更してもよい。以下において、このような制御を実現することができるダウンライト１'の電気回路構成を変形例として図１７を参照しつつ説明するとともに、その制御についても図１８乃至図２２を参照しつつ詳細に説明する。ここで、図１７は、本変形例に係るダウンライト１'の電気回路構成の概略を示す電気回路図であり、図１８乃至図２２は、図１７の回路構成における各トランジスタの作動状態、及び各ＬＥＤの駆動電流の電流値の一例を示すタイムチャートである。なお、上述した実施例と同一の構成部材については、同一の符号を付し、その詳細な説明は省略する。
【００６９】
図１７に示すように、ダウンライト１'のＬＥＤモジュール２の電気回路構成は、上述した実施例と同一であり、８個の第１ＬＥＤ１２、８個の第２ＬＥＤ１３、抵抗Ｒ１、抵抗Ｒ２、トランジスタＱ１及びトランジスタＱ２を有している。
【００７０】
上述した実施例に係る電気回路構成と、本変形例にかかる電気回路構成との相違点の１つとしては、第１ＬＥＤ１２と第２ＬＥＤ１３とに駆動電流を供給する電源が独立して設けられていることである。具体的には、８個の第１ＬＥＤ１２が極性を同じくして互いに並列に接続されており、各第１ＬＥＤ１２のアノードが抵抗Ｒ１を介して電源３１ａの正極に接続されている。また、各第１ＬＥＤのカソードはトランジスタＱ１のコレクタに接続され、トランジスタＱ１のエミッタが電源３１ａの負極に接続されている。そして、８個の第２ＬＥＤ１３が極性を同じくして互いに並列に接続されており、アノードが抵抗Ｒ２を介して電源３１ｂの正極に接続されると共に、カソードがトランジスタＱ２を介して電源３１ｂの負極に接続されている。
【００７１】
ここで、本変形例のダウンライト１'においては、第１ＬＥＤ１２及び第２ＬＥＤ１３のそれぞれに駆動電流を供給する電源３１ａ及び電源３１ｂを独立して設けられているため、第１ＬＥＤ１２に供給される駆動電流と、第２ＬＥＤ１３に供給される駆動電流とは、互いに影響を及ぼし合うことがなく、それぞれを以下のように独立して制御することができる。
【００７２】
具体的な制御については図１８に示すように、トランジスタＱ１については、周期ｔ０（例えば２０ｍｓ）においてオン期間をｔ１（例えば６ｍｓ）とし、オフ期間をｔ２（例えば１４ｍｓ）とする。一方、トランジスタＱ２については、周期ｔ０においてオン期間をｔ１とし、オフ期間をｔ２とする。ここで、トランジスタＱ１がオン状態にある間は、トランジスタＱ２もオン状態にある。従って、各トランジスタがオン状態にある間に発光することとなる第１ＬＥＤ１２及び第２ＬＥＤ１３は、交互に発光するのではく、一定期間中は同時に発光していることになる。具体的には、第１ＬＥＤ１２が発光している間は、第２ＬＥＤ１３も発光することになる。
【００７３】
このような場合、トランジスタＱ１のオン期間ｔ１の周期ｔ０に対する割合（ｔ１／ｔ０＝０．３）は、トランジスタＱ２のオン期間ｔ２の周期ｔ０に対する割合（ｔ２／ｔ０＝０．７）よりも小さくなり、第１ＬＥＤ１２及び第２ＬＥＤ１３に瞬間的（すなわち、ｔ１又はｔ２の期間）に流れる駆動電流の電流値はＡ０で同一であるものの、実際にダウンライト１'を使用している状態（すなわち、ｔ０の周期が複数回繰り返されている状態）において、第１ＬＥＤ１２に実際に供給される駆動電流（すなわち、電力量）は、第２ＬＥＤ１３に供給される駆動電流（すなわち、電力量）よりも少なくなる。従って、図１８に示されている状態においては、第１ＬＥＤ１２から出射する昼白色の光の強度が第２ＬＥＤ１３から出射する電球色の光の強度よりも小さくなるため、ダウンライト１'から出射する合成光は、全体として均一な電球色の光となる。すなわち、ダウンライト１'によって形成される照射領域は、図１３に示された状態と同一になる。
【００７４】
上述した状態から、図１９に示すように、トランジスタＱ１のオン期間をｔ３（例えば１８ｍｓ）、及びトランジスタＱ２のオン期間をｔ４（例えば５ｍｓ）とするように、トランジスタＱ１及びトランジスタＱ２の駆動時間を変更し、トランジスタＱ１のオン期間をトランジスタＱ２のオン期間よりも長くする。
【００７５】
このように、トランジスタＱ１のオン期間をトランジスタＱ２のオン期間よりも長くすると、トランジスタＱ１のオン期間ｔ３の周期ｔ０に対する割合（ｔ３／ｔ０＝０．９）は、トランジスタＱ２のオン期間ｔ４の周期ｔ０に対する割合（ｔ４／ｔ０＝０．２５）よりも大きくなり、トランジスタＱ１及びトランジスタＱ２がオン状態の際に、第１ＬＥＤ１２及び第２ＬＥＤ１３に瞬間的（すなわち、ｔ３又はｔ４の期間）に流れる駆動電流の電流値はＡ０で同一であるものの、実際にダウンライト１'を使用している状態（すなわち、ｔ０の周期が複数回繰り返されている状態）において、第１ＬＥＤ１２に実際に供給される駆動電流は、第２ＬＥＤ１３に供給される駆動電流よりも多くなる。従って、図１９に示されている状態においては、第１ＬＥＤ１２から出射する昼白色の光の強度が第２ＬＥＤ１３から出射する電球色の光の強度よりも大きくなるため、ダウンライト１'から出射する合成光は、照射物４３をスポット的に照射する昼白色の光となる。すなわち、ダウンライト１'によって形成される照射領域は、図１４に示された状態と同一になる。
【００７６】
上述したようにトランジスタＱ１とトランジスタＱ２との駆動時間を独立して制御することにより、第１ＬＥＤ１２及び第２ＬＥＤ１３に対する電流供給パルスのデューティ比を独立して制御することになる。すなわち、上述した実施例においては、トランジスタＱ１及びトランジスタＱ２の駆動時間の合計は、デューティ比の制御前後のいずれかにおいても周期ｔ０になっていが、本変形例においては、トランジスタＱ１及びトランジスタＱ２の駆動時間の合計は、周期ｔ０とする必要がなくなる。これにより、ダウンライト１'から出射する光の色及び当該光の集光具合を適宜変更する際に、ダウンライト１'から出射する合成光の強度（明るさ）も変更することができる。
【００７７】
なお、第１ＬＥＤ１２及び第２ＬＥＤ１３に対する電流供給パルスのデューティ比の独立した制御は、上述した実施例と同様に、デューティ比制御回路３２ａが行うものとする。
【００７８】
また、図１７に示すように、本変形例に係るダウンライト１'の制御部３２は、第１ＬＥＤ１２に供給される駆動電流と、第２ＬＥＤ１３に供給される駆動電流とを独立して所定の電流値に制御する電流値制御回路３２ｂを更に備えている。電流値制御回路３２ｂは、第１ＬＥＤ１２に供給される駆動電流と、第２ＬＥＤ１３に供給される駆動電流とを独立して制御することにより、第１ＬＥＤ１２及び第２ＬＥＤ１３の光量を独立して制御することになる。なお、ここに記載されている光量とは、上述した光の強度と同義であって光の明るさを意味しているが、デューティ比制御回路３２ａが行う制御と、電流値制御回路３２ｂが行う制御とを便宜上区別するために、以下おいても区別して記載するものとする。
【００７９】
具体的な制御については図２０に示すように、照明装置１'から所望の光を出射させる場合、トランジスタＱ１及びトランジスタＱ２を常にオン状態にする。この際、第１ＬＥＤ１２に対して実際に供給される駆動電流の電流値をＡ１（例えば１０ｍＡ）、第２ＬＥＤ１３に対して実際に供給される駆動電流の電流値をＡ２（例えば５０ｍＡ）となるように、電流値制御回路３２ｂがトランジスタＱ１及びトランジスタＱ２のベースに供給するベース電流の電流値を制御する。すなわち、電流値制御回路３２ｂは、トランジスタＱ１及びトランジスタＱ２に対して、異なるベース電流を継続的に供給することになる。
【００８０】
このような場合、第１ＬＥＤ１２に対して実際に供給される駆動電流の電流値は、第２ＬＥＤ１３に対して供給される駆動電流の電流値よりも小さいため、図２０に示されている状態においては、第１ＬＥＤ１２から出射する昼白色の光の光量が第２ＬＥＤ１３から出射する電球色の光の光量よりも少なくなり、ダウンライト１'から出射する合成光は、全体として均一な電球色の光となる。すなわち、ダウンライト１'によって形成される照射領域は、図１３に示された状態と同一になる。
【００８１】
上述した状態から、図２１に示すように、第１ＬＥＤ１２に対して実際に供給される駆動電流の電流値をＡ３（例えば５５ｍＡ）とし、第２ＬＥＤ１３に対して実際に供給される駆動電流の電流値をＡ４（例えば２０ｍＡ）となるように、電流値制御回路３２ｂがトランジスタＱ１及びトランジスタＱ２のベースに供給するベース電流の電流値を変更する。
【００８２】
このように、第１ＬＥＤ１２に実際に供給される駆動電流の電流値は、第２ＬＥＤ１３に供給される駆動電流の電流値よりも大きくなるため、図２１に示されている状態においては、第１ＬＥＤ１２から出射する昼白色の光の光量が第２ＬＥＤ１３から出射する電球色の光の光量よりも多くなり、ダウンライト１'から出射する合成光は、照射物４３をスポット的に照射する昼白色の光となる。すなわち、ダウンライト１'によって形成される照射領域は、図１４に示された状態と同一になる。
【００８３】
このように、第１ＬＥＤ１２に供給される駆動電流と、第２ＬＥＤ１３に供給される駆動電流とを電流値制御回路３２ｂによって独立して所定の電流値に制御し、第１ＬＥＤ１２及び第２ＬＥＤ１３の光量を独立して制御することにより、ダウンライト１'から出射する光の色及び当該光の集光具合を適宜変更するとともに、ダウンライト１'から出射する合成光の光量（明るさ）も変更することができる。
【００８４】
更に、本変形例に係るダウンライト１'の制御部３２は、デューティ比制御回路３２ａ及び電流値制御回路３２ｂの両回路を共同して使用することにより、第１ＬＥＤ１２及び第２ＬＥＤ１３に対する電流供給パルスのデューティ比を独立して制御しつつ、第１ＬＥＤ１２に供給される駆動電流の電流値、及び第２ＬＥＤ１３に供給される駆動電流の電流値を独立して制御してもよい。
【００８５】
具体的な制御については図２２に示すように、トランジスタＱ１については、周期ｔ０（例えば２０ｍｓ）においてオン期間をｔ１（例えば６ｍｓ）とし、オフ期間をｔ２（例えば１４ｍｓ）とする。一方、トランジスタＱ２については、周期ｔ０においてオン期間をｔ２とし、オフ期間をｔ１とする。ここで、トランジスタＱ１がオン状態にある間は、トランジスタＱ２もオン状態にある。すなわち、第１ＬＥＤ１２及び第２ＬＥＤ１３とは交互に発光するのではく、第１ＬＥＤ１２が発光している間は、第２ＬＥＤ１３も発光していることになる。また、第１ＬＥＤ１２に対して瞬間的に（すなわち、オン期間ｔ１において）供給される駆動電流の電流値をＡ１（例えば１０ｍＡ）とし、第２ＬＥＤ１３に対して瞬間的に（すなわち、オン期間ｔ２において）供給される駆動電流の電流値をＡ２（例えば５０ｍＡ）となるように制御する。この際、電流値制御回路３２ｂは、トランジスタＱ１及びトランジスタＱ２のベースに供給するベース電流を制御することによって、各駆動電流の電流値を制御する。
【００８６】
このような場合には、第１ＬＥＤ１２に供給される駆動電流は、第２ＬＥＤ１３に供給される駆動電流と比較して、その電流値が小さく（Ａ１＜Ａ２）、且つ周期ｔ０に対する供給期間の割合が小さい（ｔ１／ｔ０＜ｔ２／ｔ０）ため、第１ＬＥＤ１２から出射する昼白色の光の強度が第２ＬＥＤ１３から出射する電球色の光の強度よりも小さくなり、ダウンライト１'から出射する合成光は、全体として均一な電球色の光となる。すなわち、ダウンライト１'によって形成される照射領域は、図１３に示された状態と同一になる。
【００８７】
上述した状態から、図２３に示すように、トランジスタＱ１のオン期間をｔ２、及びトランジスタＱ２のオン期間ｔ１とするように、トランジスタＱ１の駆動時間とトランジスタＱ２の駆動時間とを入れ替え、トランジスタＱ１のオン期間をトランジスタＱ２のオン期間よりも長くする。また、第１ＬＥＤ１２に対して瞬間的に（すなわち、オン期間ｔ２において）供給される駆動電流の電流値をＡ２とし、第２ＬＥＤ１３に対して瞬間的に（すなわち、オン期間ｔ１において）供給される駆動電流の電流値をＡ１となるように制御し、第１ＬＥＤ１２に供給される駆動電流の電流値を第２ＬＥＤ１３に供給される駆動電流の電流値よりも高くする。
【００８８】
このように変更することにより、第１ＬＥＤ１２に供給される駆動電流は、第２ＬＥＤ１３に供給される駆動電流と比較して、その電流値が大きく（Ａ２＞Ａ１）、且つ周期ｔ０に対する供給期間の割合が大きく（ｔ２／ｔ０＞ｔ１／ｔ０）なるため、第１ＬＥＤ１２から出射する昼白色の光の強度が第２ＬＥＤ１３から出射する電球色の光の強度よりも大きくなり、ダウンライト１'から出射する合成光は、照射物４３をスポット的に照射する昼白色の光となる。すなわち、ダウンライト１'によって形成される照射領域は、図１４に示された状態と同一になる。
【００８９】
このように、トランジスタＱ１とトランジスタＱ２との駆動時間を独立して制御し、且つトランジスタＱ１とトランジスタＱ２のベースに供給するベース電流の電流値も独立して変更することにより、第１ＬＥＤ１２及び第２ＬＥＤ１３に供給される駆動電流の電流値を独立して制御し、且つ第１ＬＥＤ１２及び第２ＬＥＤ１３に対する電流供給パルスのデューティ比を独立して制御することになる。このような制御を行うことによっても、ダウンライト１'から出射する光の色及び当該光の集光具合を適宜変更する際に、ダウンライト１'から出射する合成光の強度（明るさ）についても変更することができる。
【００９０】
そして、本変形例に係るダウンライト１'の制御部３２は、デューティ比制御回路３２ａ及び電流値制御回路３２ｂの両回路を共同して使用することにより、第１ＬＥＤ１２及び第２ＬＥＤ１３に対する電流供給パルスのデューティ比を独立して制御しつつ、第１ＬＥＤ１２に供給される駆動電流の電流値、及び第２ＬＥＤ１３に供給される駆動電流の電流値を連動して制御してもよい。
【００９１】
具体的な制御については図２４に示すように、トランジスタＱ１については、周期ｔ０（例えば２０ｍｓ）においてオン期間をｔ１（例えば６ｍｓ）とし、オフ期間をｔ２（例えば１４ｍｓ）とする。一方、トランジスタＱ２については、周期ｔ０においてオン期間をｔ１とし、オフ期間をｔ２とする。ここで、トランジスタＱ１がオン状態にある間は、トランジスタＱ２もオン状態にある。従って、各トランジスタがオン状態にある間に発光することとなる第１ＬＥＤ１２及び第２ＬＥＤ１３は、交互に発光するのではく、一定期間中は同時に発光していることになる。具体的には、第１ＬＥＤ１２が発光している間は、第２ＬＥＤ１３も発光することになる。
【００９２】
また、第１ＬＥＤ１２に対して瞬間的に（すなわち、オン期間ｔ１において）供給される駆動電流の電流値をＡ５（例えば４０ｍＡ）とし、第２ＬＥＤ１３に対しても同様に、瞬間的に（すなわち、オン期間ｔ２において）供給される駆動電流の電流値をＡ５（例えば４０ｍＡ）となるように制御する。この際、電流値制御回路３２ｂは、トランジスタＱ１及びトランジスタＱ２のベースに供給するベース電流を制御することによって、各駆動電流の電流値を制御する。
【００９３】
このような場合、トランジスタＱ１のオン期間ｔ１の周期ｔ０に対する割合（ｔ１／ｔ０＝０．３）は、トランジスタＱ２のオン期間ｔ２の周期ｔ０に対する割合（ｔ２／ｔ０＝０．７）よりも小さくなり、第１ＬＥＤ１２及び第２ＬＥＤ１３に瞬間的（すなわち、ｔ１又はｔ２の期間）に流れる駆動電流の電流値はＡ５で同一であるものの、実際にダウンライト１'を使用している状態（すなわち、ｔ０の周期が複数回繰り返されている状態）において、第１ＬＥＤ１２に実際に供給される駆動電流（すなわち、電力量）は、第２ＬＥＤ１３に供給される駆動電流（すなわち、電力量）よりも少なくなる。従って、図２４に示されている状態においては、第１ＬＥＤ１２から出射する昼白色の光の強度が第２ＬＥＤ１３から出射する電球色の光の強度よりも小さくなるため、ダウンライト１'から出射する合成光は、全体として均一な電球色の光となる。すなわち、ダウンライト１'によって形成される照射領域は、図１３に示された状態と同一になる。
【００９４】
上述した状態から、図２５に示すように、トランジスタＱ１のオン期間をｔ３（例えば１８ｍｓ）、及びトランジスタＱ２のオン期間をｔ４（例えば５ｍｓ）とするように、トランジスタＱ１及びトランジスタＱ２の駆動時間を変更し、トランジスタＱ１のオン期間をトランジスタＱ２のオン期間よりも長くする。
【００９５】
また、第１ＬＥＤ１２に対して瞬間的に（すなわち、オン期間ｔ３において）供給される駆動電流の電流値をＡ６（例えば、１５ｍＡ）とし、第２ＬＥＤ１３に対しても同様に、瞬間的に（すなわち、オン期間ｔ４において）供給される駆動電流の電流値をＡ６となるように制御し、図２４に示された場合と比較して、第１ＬＥＤ１２及び第２ＬＥＤ１３に供給される駆動電流の電流値を低くする。
【００９６】
このように、トランジスタＱ１のオン期間をトランジスタＱ２のオン期間よりも長くすると、トランジスタＱ１のオン期間ｔ３の周期ｔ０に対する割合（ｔ３／ｔ０＝０．９）は、トランジスタＱ２のオン期間ｔ４の周期ｔ０に対する割合（ｔ４／ｔ０＝０．２５）よりも大きくなり、トランジスタＱ１及びトランジスタＱ２がオン状態の際に、第１ＬＥＤ１２及び第２ＬＥＤ１３に瞬間的（すなわち、ｔ３又はｔ４の期間）に流れる駆動電流の電流値はＡ６で同一であるものの、実際にダウンライト１'を使用している状態（すなわち、ｔ０の周期が複数回繰り返されている状態）において、第１ＬＥＤ１２に実際に供給される駆動電流は、第２ＬＥＤ１３に供給される駆動電流よりも多くなる。従って、図２５に示されている状態においては、第１ＬＥＤ１２から出射する昼白色の光の強度が第２ＬＥＤ１３から出射する電球色の光の強度よりも大きくなるため、ダウンライト１'から出射する合成光は、照射物４３をスポット的に照射する昼白色の光となる。すなわち、ダウンライト１'によって形成される照射領域は、図１４に示された状態と同一になる。
【００９７】
また、トランジスタＱ１のオン期間をトランジスタＱ２のオン期間よりも長くする際に、第１ＬＥＤ１２及び第２ＬＥＤ１３に供給される駆動電流の電流値を連動して下げているため、ダウンライト１'から出射される合成光の光量も低下することになる。すなわち、合成光として電球色の光が出射している状態から合成光として昼白色の光が出射される状態に移行すると、第１ＬＥＤ１２及び第２ＬＥＤ１３の光量が低下するため、ダウンライト１'から出射される合成光が弱くなることになる。なお、上述した変形例においては、第１ＬＥＤ１２及び第２ＬＥＤ１３に供給される駆動電流の電流値を連動して下げていたが、当該駆動電流の電流値を連動して上げることにより、ダウンライト１'から出射される合成光を強くしてもよい。
【００９８】
このように、トランジスタＱ１とトランジスタＱ２との駆動時間を独立して制御し、且つトランジスタＱ１とトランジスタＱ２のベースに供給するベース電流の電流値を連動して変更することにより、第１ＬＥＤ１２及び第２ＬＥＤ１３に対する電流供給パルスのデューティ比を独立して制御し、且つ第１ＬＥＤ１２及び第２ＬＥＤ１３に供給される駆動電流の電流値を連動して制御することになる。このような制御を行うことによっても、ダウンライト１'から出射する光の色及び当該光の集光具合を適宜変更する際に、ダウンライト１'から出射する合成光の光量（明るさ）についても変更することができる。
【符号の説明】
【００９９】
１、１'    ダウンライト（照明装置）
２    ＬＥＤモジュール
３    本体
４    開口
５    筐体
６    外枠
７    固定部材
１１    基板
１２    第１ＬＥＤ（第１発光素子）
１３    第２ＬＥＤ（第２発光素子）
１４    発光体部
１５    レンズホルダ
１６    第１レンズ（第１光学部材）
１６ａ    光出射面
１６ｂ    光入射面
１６ｃ    開口
１７    第２レンズ（第２光学部材）
１８    光学体部
１９    外部接続端子
２１    凹部
３１    電源
３２    制御部
３２ａ    デューティ比制御回路
３２ｂ    電流値制御回路
３３    操作部
４１    第１照射領域
４２    第２照射領域
４３    被照射物
【図１】
2013211198.tif 000003
【図２】
2013211198.tif 000004
【図３】
2013211198.tif 000005
【図４】
2013211198.tif 000006
【図５】
2013211198.tif 000007
【図６】
2013211198.tif 000008
【図７】
2013211198.tif 000009
【図８】
2013211198.tif 000010
【図９】
2013211198.tif 000011
【図１０】
2013211198.tif 000012
【図１１】
2013211198.tif 000013
【図１２】
2013211198.tif 000014
【図１５】
2013211198.tif 000015
【図１６】
2013211198.tif 000016
【図１７】
2013211198.tif 000017
【図１８】
2013211198.tif 000018
【図１９】
2013211198.tif 000019
【図２０】
2013211198.tif 000020
【図２１】
2013211198.tif 000021
【図２２】
2013211198.tif 000022
【図２３】
2013211198.tif 000023
【図２４】
2013211198.tif 000024
【図２５】
2013211198.tif 000025
【図１３】
2013211198.tif 000026
【図１４】
2013211198.tif 000027